(57)【要約】【課題】サイズの大型化や、重量の増加や、通過した電波の強度の低下を抑えながら、所望周波数の電波を取得する。【解決手段】本発明の周波数選択性電波通過装置は、所望周波数の電波を通過させるために、所望周波数に等しい周波数を有する第１のＬＣ回路に対する等価回路を形成する第１の導体ループ構造を第１の平面上に配置してなる周波数選択性電波通過板と、所望周波数の電波に同伴して周波数選択性電波通過板を通過した複数の周波数の電波の通過を阻止するための周波数選択性電波通過阻止板とを備える。そして、周波数選択性電波通過阻止板は、通過を阻止したい電波の周波数を有する第２のＬＣ回路に対する等価回路を形成する第２の導体ループ構造を、複数の周波数毎にそれぞれ形成し、形成された複数の第２の導体ループ構造を、第２の平面上に同心状に配置してなる、【選択図】図１
2017073635.tif 000002
【特許請求の範囲】
【請求項１】
入射した電波のうち、特定の複数の周波数の電波の通過を阻止するための周波数選択性電波通過阻止板であって、
前記特定の複数の周波数の電波の通過を阻止するために、通過を阻止したい電波の周波数を有するＬＣ回路に対する等価回路を形成する導体ループ構造を、前記複数の周波数毎にそれぞれ形成し、前記形成された複数の導体ループ構造を、単一平面上に同心状に配置してなる、周波数選択性電波通過阻止板。
【請求項２】
前記同心状に配置された前記複数の導体ループ構造が、前記単一平面上に、規則的に複数配置されてなる、請求項１に記載の周波数選択性電波通過阻止板。
【請求項３】
前記ＬＣ回路は、直列ＬＣ回路である、請求項１または２に記載の周波数選択性電波通過阻止板。
【請求項４】
入射した電波のうち、所望周波数の電波を通過させるための周波数選択性電波通過装置であって、
前記所望周波数の電波を通過させるために、前記所望周波数に等しい周波数を有する第１のＬＣ回路に対する等価回路を形成する第１の導体ループ構造を第１の平面上に配置してなる周波数選択性電波通過板と、
前記所望周波数の電波に同伴して前記周波数選択性電波通過板を通過した複数の周波数の電波の通過を阻止するための周波数選択性電波通過阻止板とを備え、
前記周波数選択性電波通過阻止板は、前記通過を阻止したい電波の周波数を有する第２のＬＣ回路に対する等価回路を形成する第２の導体ループ構造を、前記複数の周波数毎にそれぞれ形成し、前記形成された複数の第２の導体ループ構造を、第２の平面上に同心状に配置してなる、
周波数選択性電波通過装置。
【請求項５】
前記第１の平面および前記第２の平面は、前記周波数選択性電波通過板と、前記周波数選択性電波通過阻止板との間に挟まれて配置された誘電体の第１の面および前記第１の面に対向する第２の面である、請求項４に記載の周波数選択性電波通過装置。
【請求項６】
前記第１の導体ループ構造と、前記複数の第２の導体ループ構造とは、補完構造をなしている、請求項４または請求項５に記載の周波数選択性電波通過装置。
【請求項７】
前記第１の導体ループ構造が、前記第１の平面上に、規則的に複数配置されてなる、請求項４乃至６のうち何れか１項に記載の周波数選択性電波通過装置。
【請求項８】
前記第１のＬＣ回路は、並列ＬＣ回路である、請求項４乃至７のうち何れか１項に記載の周波数選択性電波通過装置。
【請求項９】
前記所望周波数の電波に同伴して前記周波数選択性電波通過板を通過した複数の周波数は、前記所望周波数の逓倍である、請求項４乃至８のうち何れか１項に記載の周波数選択性電波通過装置。
【請求項１０】
前記同心状に配置された複数の第２の導体ループ構造が、前記第２の平面上に、規則的に複数配置されてなる、請求項４乃至９のうち何れか１項に記載の周波数選択性電波通過装置。
【請求項１１】
前記第２のＬＣ回路は、直列ＬＣ回路である、請求項４乃至１０のうち何れか１項に記載の周波数選択性電波通過装置。
【請求項１２】
入射した電波のうち、特定の複数の周波数の電波の通過を阻止するための周波数選択性電波通過阻止方法であって、
前記特定の複数の周波数の電波の通過を阻止するために、通過を阻止したい電波の周波数を有するＬＣ回路に対する等価回路を形成する導体ループ構造を、前記複数の周波数毎にそれぞれ形成し、前記形成された複数の導体ループ構造を、単一平面上に同心状に配置し、前記同心状に配置された複数の導体ループ構造によって、前記入射した電波のうち、前記特定の複数の周波数の電波の通過を阻止するようにした、周波数選択性電波通過阻止方法。
【請求項１３】
入射した電波のうち、所望周波数の電波を通過させるための周波数選択性電波通過方法であって、
前記所望周波数に等しい周波数を有する第１のＬＣ回路に対する等価回路を形成する第１の導体ループ構造を第１の平面上に配置してなる周波数選択性電波通過板によって、前記入射した電波のうち、前記所望周波数の電波と、前記所望周波数の電波に同伴する複数の周波数の電波を通過させ、
前記同伴する電波の通過を阻止するために、前記同伴する電波の複数の周波数を有する第２のＬＣ回路に対する等価回路を形成する第２の導体ループ構造を、前記複数の周波数毎にそれぞれ形成し、前記形成された複数の第２の導体ループ構造を、第２の平面上に同心状に配置してなる周波数選択性電波通過阻止板によって、前記同伴する複数の周波数の電波の通過を阻止する一方、前記所望周波数の電波を通過させるようにした、
周波数選択性電波通過方法。
【発明の詳細な説明】
【技術分野】
【０００１】
本発明の実施形態は、入射した電波のうち、特定の周波数の電波の通過を阻止するための周波数選択性電波通過阻止板、およびこれを適用した周波数選択性電波通過装置、ならびにこれらの方法に関する。
【背景技術】
【０００２】
我レーダによる観測精度を高めるためには、他のレーダ装置から発射されたレーダの、我レーダへの干渉を低減することが重要である。
【０００３】
このために、これまで様々な技術が検討されている。
【０００４】
例えば、特許文献１では、所望の周波数帯域の電波を通過させる一方で、その他の周波数帯域の電波を反射させる特性を有する周波数選択板を斜めに配置することによって、不要な周波数の電波を、目標方向とは異なる方向に反射させることによって、干渉の低減が図られている。この種の周波数選択板は、帯域通過（バンドパス）型の周波数選択板と呼ばれている。
【先行技術文献】
【特許文献】
【０００５】
【特許文献１】特開２００１−２９８３２２号公報
【特許文献２】特開２００５−２４４８８４号公報
【非特許文献】
【０００６】
【非特許文献１】D. Singh, A.Kumar, S. Meena, nad V. Agarwala,“Analysis of frequency selective surfaces for radar absorbing materials,”progress in electromagnetics research B, vol.38, 297-314, 2012
【発明の概要】
【発明が解決しようとする課題】
【０００７】
しかしながら、このような従来技術では、以下のような問題がある。
【０００８】
すなわち、この種の周波数選択板は、ウッズ・アノマリ現象により、所望周波数の電波を通過させる際に、所望周波数の逓倍の周波数（以降、「不要周波数」と称する）の電波も通過させてしまう。
【０００９】
これに対処するために、特許文献２では、この種の周波数選択板を通過した、所望周波数の電波と、不要周波数の電波とのうち、不要周波数の電波の通過を阻止するために、帯域除去（バンドエリミネーション）型の複数の周波数選択板を積層した周波数選択構造が適用されている。
【００１０】
しかしながら、このような周波数選択構造では、不要周波数の電波の通過を阻止するために、不要周波数の数に一致する複数の帯域除去型周波数選択板が積層されているので、サイズが大型化するのみならず、重量も増加するという問題がある。また、複数の帯域除去型周波数選択板を積層することにより、周波数選択構造全体の厚みも増加するので、通過した電波の損失も大きくなり、所望周波数の電波の強度の低下をもたらすという問題がある。
【００１１】
本発明はこのような事情に鑑みてなされたものであり、その第１の目的は、単一平面上に配置された複数の導体ループ構造を用いて複数の不要周波数の電波の通過を阻止することによって、サイズの大型化や、重量の増加や、通過した電波の強度の低下を抑えることが可能な周波数選択性電波通過阻止板およびその方法を提供することにある。
【００１２】
また、その第２の目的は、この周波数選択性電波通過阻止板と、前述した帯域通過型周波数選択板と同機能を有する周波数選択性電波通過板とを用い、周波数選択性電波通過板を透過した、所望周波数の電波と、不要周波数の電波に対して、周波数選択性電波通過阻止板によって、不要周波数の電波の通過を阻止し、所望周波数の電波のみを通過させることによって、サイズの大型化や、重量の増加や、通過した電波の強度の低下を抑えながら、所望周波数の電波を取得することが可能な周波数選択性電波通過装置およびその方法を提供することにある。
【課題を解決するための手段】
【００１３】
実施形態の周波数選択性電波通過装置は、所望周波数の電波を通過させるために、所望周波数に等しい周波数を有する第１のＬＣ回路に対する等価回路を形成する第１の導体ループ構造を第１の平面上に配置してなる周波数選択性電波通過板と、所望周波数の電波に同伴して周波数選択性電波通過板を通過した複数の周波数の電波の通過を阻止するための周波数選択性電波通過阻止板とを備える。そして、周波数選択性電波通過阻止板は、通過を阻止したい電波の周波数を有する第２のＬＣ回路に対する等価回路を形成する第２の導体ループ構造を、複数の周波数毎にそれぞれ形成し、形成された複数の第２の導体ループ構造を、第２の平面上に同心状に配置してなる。
【図面の簡単な説明】
【００１４】
【図１】本実施形態に係る周波数選択性電波通過装置の構成例を示す斜視図である。
【図２】周波数選択性電波通過板および周波数選択性電波通過阻止板の構成例を示す正面図である。
【図３】周波数選択性電波通過板上に配置された導体ループ構造の等価回路図である。
【図４】周波数選択性電波通過板上に配置された導体ループ構造の透過特性の一例を示す図である。
【図５】周波数選択性電波通過阻止板上に配置された一重導体ループ構造の等価回路図である。
【図６】周波数選択性電波通過阻止板上に配置された一重導体ループ構造の透過特性の一例を示す図である。
【図７】周波数選択性電波通過阻止板上に配置された二重導体ループ構造の等価回路図である。
【図８】周波数選択性電波通過阻止板上に配置された二重導体ループ構造の透過特性の一例を示す図である。
【図９】本実施形態に係る周波数選択性電波通過装置による透過特性の一例を示す図である。
【図１０】三重導体ループ構造の一例を示す正面図である。
【図１１】円形状の周波数選択性電波通過装置の構成例を示す斜視図である。
【図１２】周波数選択性電波通過板の別の構成例を示す正面図である。
【図１３】周波数選択性電波通過阻止板の別の構成例を示す正面図である。
【発明を実施するための形態】
【００１５】
以下に、本発明の実施形態に係る周波数選択性電波通過阻止板、およびこれを適用した周波数選択性電波通過装置、ならびのこれらの方法を図面を参照して説明する。
【００１６】
図１は、本実施形態に係る周波数選択性電波通過装置１０の構成例を示す斜視図である。
【００１７】
すなわち、周波数選択性電波通過装置１０は、平板状の誘電体１６基板の両面を加工することによって作製された周波数選択性電波通過板１２と周波数選択性電波通過阻止板１４とを備えてなる。
【００１８】
周波数選択性電波通過板１２と周波数選択性電波通過阻止板１４とは、誘電体１６を挟んで互いに対向するように、誘電体１６に固定されている。そして、周波数選択性電波通過板１２は、電波の入射側に配置され、周波数選択性電波通過阻止板１４は、電波の出射側に配置される。
【００１９】
誘電体１６は、例えばテフロン（登録商標）、アライドハニカム、発砲体のように、導電性があり、かつ、周波数選択性電波通過板１２と周波数選択性電波通過阻止板１４とを両面に安定して配置することが可能な、ある程度の強度のある材料から選択される。
【００２０】
図２（ａ）および図２（ｂ）は、周波数選択性電波通過板１２および周波数選択性電波通過阻止板１４の構成例を示す正面図である。周波数選択性電波通過板１２および周波数選択性電波通過阻止板１４には、導体素子が周期的に配列されている。
【００２１】
すなわち、周波数選択性電波通過板１２は、図２（ａ）に示すように、図１の左側から入射する電波のうち、所望周波数の電波のみを透過させるための導体素子である導体ループ構造２０を、周期的に配列してなる。図２（ａ）に示すような導体ループ構造２０は、誘電体１６の入射側面に、図中斜線に示すように、例えば銅板２２のような金属板を貼り付けることによって形成される。一方、銅板２２のような金属板が貼り付けられていない部位は、空気層による導体ループ構造２０となる。
【００２２】
このような各導体ループ構造２０は、所望周波数に等しい周波数ｆ０を有する並列ＬＣ回路（例えば、図３）に対する等価回路を形成する導体素子として機能する。
【００２３】
図３において、例えば、Ｌ（インダクタンス）は、１つの導体ループ構造２０の辺長によって、Ｃ（キャパシタンス）は、隣接する導体ループ構造２０間の距離によってそれぞれ決定される（詳細は、非特許文献１を参照）。
【００２４】
前述したように、各導体ループ構造２０が、所望周波数に等しい周波数ｆ０を有することにより、すなわち、１／（２π√ＬＣ）＝ｆ０になるようにＬおよびＣを調整することにより、周波数選択性電波通過板１２は、周波数ｆ０の電波を通過させることができる。しかしながら、この時、前述したようなウッズ・アノマリ現象により、所望周波数ｆ０の逓倍の周波数２ｆ０，３ｆ０，・・・の電波も、所望周波数ｆ０の電波に同伴して同様に通過してしまう。したがって、このような構成をなす周波数選択性電波通過板１２は、図４に示すような透過特性を有する帯域通過型フィルタとして動作する。なお、図４では、簡略のために、周波数３ｆ０までしか示していない。
【００２５】
周波数選択性電波通過阻止板１４は、所望周波数ｆ０に同伴して周波数選択性電波通過板１２を通過した不要周波数２ｆ０，３ｆ０，・・・の電波が、出射側に通過することを阻止するものである。これを実現するために、図２（ｂ）に示すように、不要周波数２ｆ０，３ｆ０，・・・の電波の通過を阻止するための多重導体ループ構造３０（＃１），３０（＃２）を周期的に配列してなる。図２（ｂ）に示すような導体ループ構造３０（＃１），３０（＃２）は、誘電体１６の出射側面の、図中斜線に示す部位に、例えば銅板のような金属板を貼り付けることによって形成される。銅板のような金属板が貼り付けられていない部位は、空気層３４である。すなわち、銅板のような金属板が貼り付けられた部位が、導体ループ構造３０（＃１），３０（＃２）を形成する。
【００２６】
このように、図２（ａ）に示される導体ループ構造２０は、銅によって囲まれた空気層によって形成され、図２（ｂ）に示される導体ループ構造３０は、空気によって囲まれた銅によって形成されている。つまり、周波数選択性電波通過板１２における導体ループ構造２０と、周波数選択性電波通過阻止板１４における導体ループ構造３０（＃１），３０（＃２）とは、補完構造をなしている。
【００２７】
このような補完構造によって、導体ループ構造３０（＃１）は、図５に示すように、直列ＬＣ回路に対する等価回路を形成する導体素子として機能し、図６に示すように、図４とは逆の透過特性を有するようになる。すなわち、特定の周波数ｆの電波の通過を阻止する特性を有するようになる。
【００２８】
前述したように、Ｌ（インダクタンス）は、１つの導体ループ構造の辺長によって、Ｃ（キャパシタンス）は、隣接する導体ループ構造間の距離によってそれぞれ決定される。これは、図２（ｂ）のように、導体ループ構造３０（＃１）と、その内側に同心状に配置された導体ループ構造３０（＃２）とでは、辺長が異なるので、それぞれ、異なる透過特性を有しうることを意味する。
【００２９】
つまり、導体ループ構造を、導体ループ構造３０（＃１）および導体ループ構造３０（＃２）のように二重化することで、周波数選択性電波通過阻止板１４は、図７のように、２つの直列ＬＣ回路が並列に配置された回路と等価な導体素子として機能し、２つの周波数の電波の通過を阻止するフィルタとして機能するようになる。
【００３０】
図７に示す等価回路において、Ｌ１は、導体ループ構造３０（＃１）の辺長によって、Ｌ２は、導体ループ構造３０（＃２）の辺長によって、Ｃ１およびＣ２は、隣接する導体ループ構造３０（＃１）間の距離や、導体ループ構造３０（＃１）と導体ループ構造３０（＃２）との間の距離等によって決定される（詳細は、非特許文献１を参照）。
【００３１】
したがって、１／（２π√Ｌ１Ｃ１）＝２ｆ０および１／（２π√Ｌ２Ｃ２）＝３ｆ０になるようにＬ１、Ｌ２、Ｃ１、およびＣ２の値を調整することにより、図８に示すように、不要周波数２ｆ０，３ｆ０の通過を阻止するような特性を実現することができる。
【００３２】
したがって、周波数選択性電波通過阻止板１４は、不要周波数２ｆ０，３ｆ０の電波の、出射側への通過を阻止し、所望周波数ｆ０の電波のみを、出射側へと通過させる。
【００３３】
つまり、周波数選択性電波通過板１２と周波数選択性電波通過阻止板１４とを備えてなる本実施形態に係る周波数選択性電波通過装置１０による周波数透過特性は、図９に示す通りとなる。
【００３４】
次に、以上のように構成した本実施形態の周波数選択性電波通過阻止板１４、およびこれを適用した周波数選択性電波通過装置１０の作用について説明する。
【００３５】
すなわち、本実施形態に係る周波数選択性電波通過装置１０は、電波の入射側に向けて周波数選択性電波通過板１２が配置される。
【００３６】
周波数選択性電波通過板１２の表面には、図２（ａ）に示すように、銅板２２によって囲まれた空気層からなる導体ループ構造２０が、周期的に配置されている。
【００３７】
このような導体ループ構造２０は、図３に示すような、並列ＬＣ回路に対する等価回路を形成する導体素子として機能する。そして、１つの導体ループ構造２０の辺長によって決定されるＬ（インダクタンス）と、隣接する導体ループ構造２０間の距離によって決定されるＣ（キャパシタンス）とを調整することによって、等価回路の周波数が、所望周波数ｆ０に等しくなるように調整される。
【００３８】
これによって、入射した電波のうち、所望周波数ｆ０の電波が、周波数選択性電波通過板１２を通過できるようになる。
【００３９】
ただし、前述したようなウッズ・アノマリ現象により、所望周波数ｆ０の逓倍の不要周波数２ｆ０，３ｆ０，・・・の電波も、所望周波数ｆ０の電波に同伴して通過してしまう。すなわち、周波数選択性電波通過板１２による電波の透過特性は、図４の通りとなり、周波数ｆ０，２ｆ０，３ｆ０，・・・において大きな透過率を有するようになる。なお、ここでは、簡略のために、代表的に、周波数ｆ０，２ｆ０，３ｆ０のみについて説明する。したがって、図４でも、周波数３ｆ０までしか示していない。
【００４０】
このように、周波数ｆ０，２ｆ０，３ｆ０の電波が、周波数選択性電波通過板１２を通過し、さらに誘電体１６を介して周波数選択性電波通過阻止板１４に入射する。
【００４１】
周波数選択性電波通過阻止板１４には、図２（ｂ）に示すように、二重の導体ループ構造３０（＃１），３０（＃２）が周期的に配列されている。導体ループ構造３０（＃１），３０（＃２）は、例えば銅板を張り付けることによって形成される。つまり、図２（ａ）に示す周波数選択性電波通過板１２の導体ループ構造２０は、銅板によって囲まれた空気層から構成されるのに対して、図２（ｂ）に示す導体ループ構造３０は、空気によって囲まれた銅板から構成されており、補完構造の関係をなしている。
【００４２】
このような補完構造によって、周波数選択性電波通過板１２の導体ループ構造２０は、図３のような並列ＬＣ回路に対する等価回路として機能し、図４のように特定の周波数において高い透過率を有する特性を有する一方、周波数選択性電波通過阻止板１４の導体ループ構造３０は、直列ＬＣ回路に対する等価回路として機能し、特定の周波数において低い透過率を有するという逆の特性を有するようになる。しかも、導体ループ構造３０は、二重構造となっている。したがって、図７に示すように、２つの直列ＣＬ回路に対する等価回路として機能し、２つの周波数において低い透過率を有する特性を有するようになる。
【００４３】
前述したように、図７に示す等価回路において、Ｌ１は、導体ループ構造３０（＃１）の辺長によって、Ｌ２は、導体ループ構造３０（＃２）の辺長によって、Ｃ１およびＣ２は、隣接する導体ループ構造３０（＃１）間の距離や、導体ループ構造３０（＃１）と導体ループ構造３０（＃２）との間の距離等によって決定される。
【００４４】
この原理を利用して、１／（２π√Ｌ１Ｃ１）＝２ｆ０および１／（２π√Ｌ２Ｃ２）＝３ｆ０になるようにＬ１、Ｌ２、Ｃ１、およびＣ２の値が調整される。
【００４５】
これによって、周波数選択性電波通過阻止板１４は、図８に示すように、不要周波数２ｆ０，３ｆ０の通過を阻止するような特性を有するようになる。
【００４６】
したがって、誘電体１６を介して周波数選択性電波通過阻止板１４に入射した周波数ｆ０，２ｆ０，３ｆ０の電波のうち、所望周波数ｆ０の電波は通過を阻止されず、周波数選択性電波通過阻止板１４を通過するが、不要周波数２ｆ０，３ｆ０の電波は、周波数選択性電波通過阻止板１４の通過を阻止され、周波数選択性電波通過阻止板１４を通過することはできない。
【００４７】
このように、周波数選択性電波通過阻止板１４によって、不要周波数２ｆ０，３ｆ０の電波の、出射側への通過が阻止され、所望周波数ｆ０の電波のみが、出射側へと通過される。
【００４８】
つまり、周波数選択性電波通過板１２と周波数選択性電波通過阻止板１４とを備えてなる本実施形態に係る周波数選択性電波通過装置１０による周波数透過特性は、図９に示す通りとなる。
【００４９】
なお、上記説明では、一例として、２つの不要周波数２ｆ０，３ｆ０しか考慮していないが、不要周波数は２つに限定されるものではない。例えば、不要周波数が３つあるのであれば、図１０に示すように、周波数選択性電波通過阻止板１４上の二重導体ループ構造３０（＃１），３０（＃２）を、三重導体ループ構造３０（＃１），３０（＃２），３０（＃３）に置き換えれば良い。
【００５０】
このように、周波数選択性電波通過阻止板１４は、導体ループ構造３０の多重化（二重、三重、・・・）を増やすことによって、不要周波数がいくつあろうとも、通過を阻止することができる。
【００５１】
上述したように、本実施形態に係る周波数選択性電波通過阻止板およびその方法によれば、上記のような作用により、不要周波数の数に一致する数の帯域除去型周波数選択板を積層させることなく、単一平面上に配置された複数の導体ループ構造を用いて複数の不要周波数の電波の通過を阻止することができる。しかも、サイズの大型化や、重量の増加や、通過した電波の強度の低下を抑えながら、これを実現することができる。
【００５２】
また、本実施形態に係る周波数選択性電波通過装置によれば、周波数選択性電波通過板を透過した、所望周波数の電波と、不要周波数の電波に対して、周波数選択性電波通過阻止板を適用することによって、不要周波数の電波の通過を阻止することができるので、所望周波数の電波のみを通過させることができる。しかも、サイズの大型化や、重量の増加や、通過した電波の強度の低下を抑えながら、これを実現することができる。
【００５３】
これによって、他のレーダ装置から発射されたレーダの、我レーダへの干渉が低減され、もって、我レーダによる観測精度を高めることが可能となる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５５】
例えば、周波数選択性電波通過板１２および周波数選択性電波通過阻止板１４の正面形状、すなわち誘電体１６の面形状は、図２（ａ）および図２（ｂ）に示すような四角形状に限定されるものではなく、導体素子として機能する周期構造パターンを配置できるのであれば、図１１に示す円形状や、図示しない三角形状や六角形状のように、他の形状であっても良い。
【００５６】
また、周波数選択性電波通過板１２上に配置される導体ループ構造２０の形状として、上記実施形態では、一例として、四角形状のものを示した。しかながら、導体ループ構造２０は、四角形状に限定される訳ではなく、例えば、図１２に示すように円形状や、図示しない三角形状や六角形状のように、四角形以外の多角形形状であっても、所望の周波数透過特性を実現できるのであれば、任意の形状であって良い。
【００５７】
また、周波数選択性電波通過阻止板１４上に配置される導体ループ構造３０（＃１），（＃２）の形状として、上記実施形態では、一例として、四角形状のものを示した。しかながら、導体ループ構造３０（＃１），（＃２）もまた、四角形状に限定される訳ではなく、例えば、図示しないが、円形状や、あるいは三角形状や六角形状のように、四角形以外の多角形形状であっても、所望の周波数透過特性を実現できるのであれば、任意の形状であって良い。
【００５８】
さらには、図１３のように、同心状に配置されるのであれば、外側の導体ループ構造３０（＃１）と内側の導体ループ構造３０（＃２）との形状が異なっていても良い。
【００５９】
さらにまた、周波数選択性電波通過板１２上に配置される導体ループ構造２０と、周波数選択性電波通過阻止板１４上に配置される導体ループ構造３０（＃１），（＃２）との形状が同一である必要はなく、それぞれが所望の特性を実現できるのであれば、周波数選択性電波通過板１２上に配置される導体ループ構造２０と、周波数選択性電波通過阻止板１４上に配置される導体ループ構造３０（＃１），（＃２）との形状が異なっていても良い。
【符号の説明】
【００６０】
１０  周波数選択性電波通過装置、１２  周波数選択性電波通過板、１４  周波数選択性電波通過阻止板、１６  誘電体、１６  誘導体、２０  導体ループ構造、２２  銅板、３０  導体ループ構造、３４  空気層
【図１】
2017073635.tif 000003
【図２】
2017073635.tif 000004
【図３】
2017073635.tif 000005
【図４】
2017073635.tif 000006
【図５】
2017073635.tif 000007
【図６】
2017073635.tif 000008
【図７】
2017073635.tif 000009
【図８】
2017073635.tif 000010
【図９】
2017073635.tif 000011
【図１０】
2017073635.tif 000012
【図１１】
2017073635.tif 000013
【図１２】
2017073635.tif 000014
【図１３】
2017073635.tif 000015